(57)【要約】【課題】固定ねじを用いて操作環などの可動筒を、打痕や変形を発生させずに、固定筒に確実に固定できるカメラのレンズ鏡筒を提案すること。【解決手段】カメラのレンズ鏡筒１では、固定筒２の円形外周面に円環状のゴムバンド５が接着固定されており、これに対峙する操作環３の部位に固定ねじ４が取り付けられている。操作環３を所定位置に回転し、固定ねじ４を締め付けると、その脚部先端面４ｃがゴムバンド５に食い込み、大きな固定力で操作環３を固定できる。固定ねじ４の押し付け力がゴムバンド５によって緩和されるので、固定筒外周面に打痕が残ることがない。固定ねじ４の締め付け量に応じてゴムバンド５への食い込み量が増加して、固定ねじ４の締め付けに必要な操作力が増加するので、操作者は固定ねじの操作抵抗から固定ねじ４が十分に締め付けられたことを知ることができ、固定筒２が変形するまで固定ねじ４を過剰に締め付けてしまうこともない。【選択図】図１
2006251581.tif 000002
【特許請求の範囲】
【請求項１】
固定筒と、
前記固定筒の外周面を取り囲む状態で同軸状態に配置されている可動筒と、
前記可動筒を前記固定筒に固定するために、当該可動筒に外側からねじ込まれ、前記固定筒の前記外周面に押し付け可能な脚部先端面を備えた固定ねじと、
前記固定筒の前記外周面における前記固定ねじの前記脚部先端面が当接する部位に取り付けられている弾性部材とを有していることを特徴とするカメラのレンズ鏡筒。
【請求項２】
請求項１において、
前記可動筒は、前記固定筒の前記外周面に沿って当該固定筒の中心軸線を中心として回転可能であり、
前記弾性部材は、前記固定ねじの前記脚部先端面に対峙している前記固定筒の前記外周面の部位に取り付けられた環状弾性板であることを特徴とするカメラのレンズ鏡筒。
【請求項３】
請求項１において、
前記可動筒は、前記固定筒の前記外周面に沿って当該固定軸の中心軸線に沿った方向に移動可能であり、
前記弾性部材は、前記固定筒の前記外周面における前記中心軸線の方向に離れた複数の部位に取り付けられていることを特徴とするカメラのレンズ鏡筒。
【請求項４】
請求項１において、
前記可動筒は、前記固定筒の前記外周面に沿って、当該固定筒の中心軸線を中心として回転可能であると共に、当該中心軸線の方向に移動可能であり、
前記弾性部材は、前記固定軸の前記外周面における前記中心軸線の方向に離れた複数の部位に取り付けられた環状弾性板であることを特徴とするカメラのレンズ鏡筒。
【請求項５】
請求項２において、
前記可動筒は、可動側レンズを光軸方向に移動させるための操作環であることを特徴とするカメラのレンズ鏡筒。
【請求項６】
請求項２において、
前記可動筒は、三脚取付用の円筒状三脚座であることを特徴とするカメラのレンズ鏡筒。
【請求項７】
請求項４において、
前記可動筒は円筒状のフードであることを特徴とするカメラのレンズ鏡筒。
【発明の詳細な説明】
【技術分野】
【０００１】
本発明は、固定筒と、その外周面に沿って移動可能な可動筒とを備えたカメラのレンズ鏡筒に関し、特に、可動筒を固定筒に固定するための機構の改良に関するものである。
【背景技術】
【０００２】
カメラのレンズ鏡筒は、カメラ本体側に固定される固定筒と、この固定筒の外周面を同軸状態で取り囲む状態に配置されている操作環とを備えている。操作環を回転操作すると、固定筒内に装着されている固定側のレンズ群に対して、可動側のレンズ群が光軸に沿って接近あるいは離れる方向に移動するので、ピント合わせなどを行うことができる。操作環には、外側から固定ねじが取り付けられており、この固定ねじをねじ込むと、その脚部先端面が内側の固定筒の円形外周面に押し付けられる。この結果、操作環を所定の回転位置に固定することができる。このような操作環の固定機構は、例えば、特許文献１に開示されている。
【特許文献１】特開２００３−３１５６５１号公報
【発明の開示】
【発明が解決しようとする課題】
【０００３】
しかしながら、操作環に取り付けた固定ねじをねじ込み、その脚部先端面を固定筒に押し付けることにより操作環を固定する機構には次のような問題点がある。まず、固定ねじの脚部先端面は一般に平坦面であり、これが押し付けられる固定筒の側は一般に円形外周面である。このため、これらの間は線当たり状態になり、広い接触面積を確保できないので、操作環を確実に固定するために必要な摩擦力を得にくい。よって、操作環を固定する力が弱く、操作環が容易に動いてしまうという問題点がある。
【０００４】
また、操作環を固定する力を増すために固定ねじを強く締め付けると、当該固定ねじの先端面が線当たりしている固定筒の円形外周面の部位に応力集中が起こり、その部位に打痕が残るおそれがある。
【０００５】
さらに、打痕が残ると、その近辺で固定ねじ先端面を固定筒外周面に押し付けた場合には、押し付けられた固定ねじ先端面が打痕の側にずれやすい。したがって、打痕の付近位置において操作環を固定しようとして固定ねじを締め付けると、打痕側に僅かに操作環が移動しやすい。このため、打痕が残っている部位の近傍位置で操作環を固定できない。換言すると、打痕位置近傍において操作環の固定位置を微調整できない場合がある。
【０００６】
これに加えて、固定ねじを締め付けすぎると、固定筒を変形させるおそれがある。固定筒の内側にレンズ光学系が組み込まれている場合には、レンズの変形、光軸ずれなどといったレンズ光学系に悪影響を及ぼす弊害が発生する可能性がある。
【０００７】
このように、従来における固定ねじを用いた操作環の固定機構では、操作環を固定する力が一般に弱く、また、操作環を確実に固定できるように固定ねじを締めつけすぎると、固定筒に打痕あるいは変形が生ずるおそれがある。したがって、固定ねじを適切に締め付けて操作環を確実に固定することが困難であった。
【０００８】
本発明の課題は、このような点に鑑みて、固定ねじを用いて操作環などの可動筒を、打痕や変形を発生させることなく、確実に固定筒に固定できる機構を備えたカメラのレンズ鏡筒を提案することにある。
【課題を解決するための手段】
【０００９】
上記の課題を解決するために、本発明のカメラのレンズ鏡筒は、
固定筒と、
前記固定筒の外周面を取り囲む状態で同軸状態に配置されている可動筒と、
前記可動筒を前記固定筒に固定するために、当該可動筒に外側からねじ込まれ、前記固定筒の前記外周面に押し付け可能な脚部先端面を備えた固定ねじと、
前記固定ねじの前記脚部先端面が当接する前記固定筒の前記外周面の部位に取り付けられている弾性部材とを有していることを特徴としている。
【００１０】
本発明では、可動筒を固定するための固定ねじを締め付けると、その脚部先端面が弾性部材の上から固定筒外周面に押し付け固定される。固定ねじの脚部先端面が固定筒側の弾性部材に食い込み、双方が面接触状態になり、それらの間の摩擦抵抗力が増加する。これと共に、食い込みによって、固定ねじの脚部が弾性部材に対してずれようとする際の抵抗力が増加する。したがって、従来に比べて、固定ねじを締め付けることによって発生する可動筒の固定力が増加するので、可動筒を固定筒に対して確実に固定できる。
【００１１】
また、固定ねじを締め付けすぎたとしても、弾性部材によって応力集中が緩和されるので、固定筒外周面に打痕が残ることもない。
【００１２】
さらに、固定ねじの締め付け時にはその脚部先端面が弾性部材に食い込むので、固定ねじの締め付け抵抗が増加する。操作者は、この抵抗力の増加を指先から感じ取ることにより、固定ねじが十分に締め付けられたことを知ることができる。よって、固定筒が変形してしまうような固定ねじの過剰な締め付けも未然に防止できる。
【００１３】
ここで、前記可動筒が、前記固定筒の前記外周面に沿って当該固定筒の中心軸線を中心として回転可能な場合には、前記弾性部材として、前記固定ねじの前記脚部先端面に対峙している前記固定筒の前記外周面の部位に取り付けられた環状弾性板を採用することができる。
【００１４】
このように回転する可動筒としては、可動側レンズを光軸方向に移動させるための操作環、三脚取付用の円筒状三脚座を挙げることができる。
【００１５】
また、前記可動筒が、前記固定筒の前記外周面に沿って当該固定軸の中心軸線に沿った方向に移動可能の場合には、前記弾性部材を、前記固定筒の前記外周面における前記中心軸線の方向に離れた複数の部位に取り付けておけばよい。
【００１６】
さらに、前記可動筒が、前記固定筒の前記外周面に沿って、当該固定筒の中心軸線を中心として回転可能であると共に、当該中心軸線の方向に移動可能の場合には、前記弾性部材として、前記固定軸の前記外周面における前記中心軸線の方向に離れた複数の部位に取り付けられた環状弾性板を採用することができる。
【００１７】
ここで、回転および移動する可動筒としては、円筒状のフードを挙げることができる。
【発明の効果】
【００１８】
本発明のカメラのレンズ鏡筒では、弾性部材を介して、可動筒に取り付けた固定ねじにおける脚部先端面を固定筒外周面に押し付けて、可動筒を固定するようにしている。したがって、固定ねじによる可動筒の固定力を従来に比べて大きくすることができるので、可動筒を所望の位置に確実に固定できる。また、固定ねじ締め付け時における固定筒外周面に対する応力集中を弾性部材によって緩和できるので、固定筒外周面に打痕が残ることがない。さらに、固定ねじの締め付け時には、弾性部材への食い込み量に応じて、その締め付け抵抗が増加するので、操作者は固定ねじの操作抵抗感から、固定ねじが十分に締め付けられたか否かを知ることができる。よって、過剰な締め付けによって固定筒が変形してしまうという弊害を未然に防止できる。
【発明を実施するための最良の形態】
【００１９】
以下に、図面を参照して、本発明を適用したレンズ鏡筒の各例を説明する。
【００２０】
(実施の形態１)
図１は、実施の形態１に係るレンズ鏡筒を一部断面で示す側面図であり、図２はそのII−II線に沿って切断した部分の概略断面図である。レンズ鏡筒１は、固定筒２と、この固定筒２の外側を同軸状態で取り囲んでいる回転可能な操作環３と、操作環３を固定するための固定ねじ４とを有している。
【００２１】
固定筒２には、その後端に、カメラ本体(図示せず)のマウント部に装着可能な装着部２ａが形成されており、この装着部２ａの前側の外周面部分は滑り止め用の一定幅の凹凸面が円周方向に形成されている操作用の握り部２ｂとされている。固定筒２の前後方向の中程の部位には、操作環３の回転をガイドするための円環状のガイドフランジ２ｃが形成されている。ガイドフランジ２ｃの後側の部位には、円周方向に延びる一定幅の浅い円環状の溝２ｄが形成されており、この溝２ｄには、一定厚さ、一定幅の円環状のゴムバンド５(弾性部材)が接着固定されている。
【００２２】
操作環３は、全体として円筒状の筒であり、その前後方向の中ほどの内周面部分には、内方に突出した円環状段面３ａが形成されている。この円環状段面３ａが、固定筒２のガイドフランジ２ｃによって摺動可能な状態で支持されている。よって、操作環３は、固定筒の中心軸線、すなわち、レンズ鏡筒１の中心軸線１ａを中心として、固定筒２に対して回転操作することが可能となっている。
【００２３】
固定ねじ４は、ゴムバンド５に対峙している操作環３の部位に取り付けられている。すなわち、ゴムバンド５に対峙している操作環３の部位にはねじ穴３ｂが形成されており、このねじ穴３ｂに、外側から中心軸線１ａに向く姿勢で固定ねじ４がねじ込まれている。
【００２４】
固定ねじ４は、操作つまみとしての大径の頭部４ａと、この頭部４ａから同軸状態で突出している小径の脚部４ｂとを備え、脚部４ｂの外周面部分に雄ねじが刻まれている。脚部４ｂの先端面４ｃは平坦面とされている。脚部４ｂの先端側の部位には抜け止め６が取り付けられ、固定ねじ４が操作環３のねじ穴３ｂから外側に抜けないようになっている。
【００２５】
なお、固定筒２の内部には、例えば、その後側の部位にズームレンズ光学系の固定側レンズ群が組み込まれ、その前側の部位に可動側レンズ群が組み込まれている。可動側レンズ群のレンズホルダは固定筒２に対して前後方向に移動可能な状態で取り付けられている。レンズホルダは、円筒カム機構などを介して操作環３に連結されており、操作環３を回転させると、それに伴って、前後方向に移動する。よって、操作環３の操作により、可動側レンズを移動させることができる。このような機構はカメラのレンズ鏡筒において一般的に採用されているので、その詳細な説明および図示は省略する。
【００２６】
このように構成した本例のレンズ鏡筒１では、図１、２に示すように固定ねじ４を緩めて、操作環３を回転して可動側レンズ群を移動させてピント合わせなどを行う。この後は、固定ねじ４を締め付けて操作環３を固定筒２に固定することにより、ピント合わせ状態などを保持する。
【００２７】
図３(ａ)および(ｂ)は、固定ねじ４を締め付けた状態を示す部分断面図、および固定ねじ４の脚部先端部分を示す部分拡大断面図である。これらの図に示すように、固定ねじ４を締め付けると、その脚部先端面４ｃがゴムバンド５に所定量だけ食い込んだ状態になる。この結果、脚部先端面４ｃはゴムバンド５の表面に面接触した状態になる。よって、従来のように、固定筒の円形外周面に対して、平坦な脚部先端面が線接触している状態に比べて、これらの間の摩擦力が大幅に増加する。したがって、固定ねじ４による操作環３の固定力が増加し、操作環３が固定位置から移動してしまうことがない。
【００２８】
また、図３(ｂ)から分かるように、固定ねじ４の脚部先端面４ｃはゴムバンド５に食い込んでいるので、ゴムバンド５には、脚部先端面４ｃを取り囲む所定高さの環状内壁部分５ａが形成されている。固定ねじ４の脚部４ｂが横方向にずれようとすると、この環状内壁部分５ａに当たり、固定ねじ４のずれが防止される。よって、このようなゴムバンド５の弾性変形によっても、固定ねじ４による操作環３の固定力が増加する。
【００２９】
さらに、固定ねじ４の脚部先端面４ｃがゴムバンド５を介して固定筒２の外周面に押し付けられるので、固定筒２の外周面の一部が強く押されて、そこに打痕が残ってしまうという弊害も発生しない。
【００３０】
これに加えて、固定ねじ４の締め付けに伴って、その脚部先端面４ｃのゴムバンド５への食い込み量が増加し、固定ねじ４の操作抵抗が増加する。よって、操作者は、かかる操作感から固定ねじ４が十分に締め付けられたことを知ることができる。この結果、固定ねじ４が過剰に締め付けられて、固定筒２を変形させてしまうという弊害を未然に防止できる。
【００３１】
(実施の形態２)
図４および図５は、本発明の実施の形態２に係るカメラのレンズ鏡筒を一部断面で示す側面図である。本例のレンズ鏡筒１０は、カメラ本体側に取り付けられる固定筒１２と、この固定筒１２の前後方向の中程の部位を取り囲むように同軸状に取り付けた操作環１３と、固定筒１２における操作環１３の前方に突出している前側部分を取り囲むように同軸状に取り付けたフード１７と、固定筒１２における操作環１３の後方に突出している後側部分を取り囲むように同軸状に取り付けた円筒状三脚座１８とを有している。
【００３２】
操作環１３は、固定筒１２の円形外周面に沿って中心軸線１０ａを中心として回転可能であり、固定ねじ１４によって固定筒１２に固定可能となっている。固定ねじ１４による固定機構は、実施の形態１のレンズ鏡筒１の場合と同様であり、固定ねじ１４と、この脚部先端面が押し付けられている固定筒側のゴムバンド(図示せず)とを備えている。
【００３３】
固定筒１２におけるフード１７が取り付けられている前側部分は、円形外周面１２ａを備えており、フード１７は当該円形外周面１２ａよりも一回り大きな円筒形状をしている。フード１７の円形内周面の後端部分には、内方に突出した円環状スライダ１７ａが形成されており、この円環状スライダ１７ａが固定筒１２の円形外周面１２ａに沿って、中心軸線１０ａを中心として回転可能であると共に、中心軸線１０ａの方向(前後方向)にスライド可能である。
【００３４】
本例のフード１７は、図４において上半部分に示す収納位置１７Ａから、下半部分に示す引き出し位置１７Ｂまでの間をスライドさせることが可能となっている。収納位置１７Ａは、フード後端縁１７ｂが固定筒１２の中ほどの位置に形成されている円環状端面１２ｂに当たることにより規定される。引き出し位置１７Ｂは、フード１７の円環状スライダ１７ａが、固定筒１２の前端部分に形成されている円環状端面１２ｃに当たることによって規定される。
【００３５】
フード１７は、固定ねじ１９によって、その収納位置１７Ａおよび引き出し位置１７Ｂにそれぞれ固定することが可能となっている。すなわち、フード１７における後端部には、固定ねじ１９が取り付けられている。また、固定筒１２には、収納位置１７Ａの固定ねじ１９に対峙する外周面部分を取り囲むように、円環状のゴムバンド２０が接着固定されている。同様に、引き出し位置１７Ｂの固定ねじ１９に対峙する固定筒外周面部分にも円環状のゴムバンド２１が接着固定されている。固定ねじ１９の構造は実施の形態１における固定ねじ４と同一である。また、固定ねじ１９を締め付けた場合の作用効果も実施の形態１における場合と同様である。
【００３６】
次に、円筒状三脚座１８は、固定筒１２の外周面部分に形成されている前後一対の円環状段面１２ｄ、１２ｅの間に装着されており、これらに沿って、中心軸線１０ａを中心として回転可能となっている。円筒状三脚座１８は全体として一定厚さの円筒であり、その円周方向の一部には、厚肉の三脚取付部１８ａが形成されており、ここに三脚本体(図示せず)が取り付けられるようになっている。
【００３７】
この円筒状三脚座１８における軸線方向の中ほどの部位には、固定ねじ２２が取り付けられている。固定ねじ２１に対峙している固定筒１２の外周面部分には、円環状のゴムバンド２３が接着固定されている。固定ねじ２２の構造は基本的には実施の形態１における固定ねじ４と同様である。また、固定ねじ２２を締め付けた場合の作用効果も実施の形態１における場合と同様である。
【００３８】
このように、本例のカメラのレンズ鏡筒１０では、固定筒１２に対して回転可能な状態に取り付けられている操作環１３、円筒状三脚座１８の固定機構として本発明を適用してある。同様に、固定筒１２に対して回転およびスライド可能な状態で取り付けられているフード１７の固定機構として本発明を適用してある。したがって、これらの部材を確実に操作位置に固定することができる。また、固定筒１２の外周面部分に打痕が残ることがなく、固定筒１２が変形することもない。
【００３９】
(その他の実施の形態)
なお、上記の各例では固定筒外周面部分に円環状のゴムバンドを接着固定してある。可動側の操作環、フード、三脚座の回転範囲が限られている場合には、固定ねじ４、１４、１９、２２の移動範囲を包含する領域にゴムバンドなどの弾性部材を配置しておけばよい。また、軸線方向における３箇所以上の位置にフードを固定する場合には、固定位置に対応する部位に弾性部材を配置しておけばよい。
【００４０】
一方、上記の各例では弾性部材を固定筒の外周面部分に接着固定してある。この代わりに、あるいは、これと共に、図６に示すように、固定ねじ４Ａの脚部先端面４ｃに弾性片５Ａを固定しておくことも可能である。
【図面の簡単な説明】
【００４１】
【図１】本発明を適用したレンズ鏡筒を一部断面で示す側面図である。
【図２】図１のレンズ鏡筒の概略断面図である。
【図３】(ａ)は図１のレンズ鏡筒の固定ねじを締め付けた状態を示す部分断面図であり、(ｂ)は固定ねじの脚部先端を示す部分拡大断面図である。
【図４】本発明を適用したレンズ鏡筒を一部断面で示す側面図である。
【図５】図４のレンズ鏡筒を異なる部位を断面で示す側面図である。
【図６】固定ねじの別の例を示す説明図である。
【符号の説明】
【００４２】
１、１０  レンズ鏡筒
２、１２  固定筒
３    操作環
４、１４、１９、２２  固定ねじ
４ａ  脚部先端面
５、２０、２１、２３  ゴムバンド
５ａ  環状内壁部分
６    抜け止め
１７  フード
１８  円筒状三脚座
【図１】
2006251581.tif 000003
【図２】
2006251581.tif 000004
【図３】
2006251581.tif 000005
【図４】
2006251581.tif 000006
【図５】
2006251581.tif 000007
【図６】
2006251581.tif 000008